(57)【要約】【課題】接続応答待ちによるバッファの滞留を低減すること。【解決手段】ネットワークシステム１００は、ゲートウェイ１０４と、ポリシー制御装置１０５と、サービス情報に応じたポリシーを規定する対応情報を記憶するポリシー管理サーバ１０６と、を有する。ポリシー制御装置１０５は、ポリシー管理サーバ１０６から配布された前記対応情報を記憶し、接続要求元の端末１１０から通信網１２０への接続要求メッセージを受信し、端末１１０に適用されるサービスを示すサービス情報を含む接続要求情報を第２の記憶部に格納し、第２の記憶部に対する接続要求情報群の割合を示す使用率がしきい値以上であるか否かを判定し、しきい値以上である場合、対応情報を参照して第２の記憶部に記憶された接続要求情報に基づいて端末１１０に適用されるポリシーを決定し、該ポリシーを端末１１０に送信し、接続要求情報を第２の記憶部から消去する。【選択図】図１２
2014216900.tif 000002
【特許請求の範囲】
【請求項１】
ゲートウェイと、ポリシー制御装置と、サービス情報に応じたポリシーを規定する対応情報を記憶するポリシー管理サーバと、を有するネットワークシステムであって、
前記ポリシー制御装置は、
前記ポリシー管理サーバから配布された前記対応情報を記憶する第１の記憶部と、
前記ゲートウェイを介して接続要求元からネットワークへの接続要求メッセージが受信された場合に、前記接続要求メッセージ内の前記接続要求元に適用されるサービスを示すサービス情報を含む接続要求情報を、第２の記憶部に格納する格納部と、
ある接続要求元からのある接続要求メッセージが受信され、前記ある接続要求メッセージ内の前記ある接続要求元に適用されるサービスを示すサービス情報を含むある接続要求情報が、前記第２の記憶部に格納された場合、前記格納部によって前記第２の記憶部に蓄積された接続要求情報群の前記第２の記憶部の記憶領域に対する割合を示す使用率が、しきい値以上であるか否かを判定する判定部と、
前記判定部によって前記使用率がしきい値以上であると判定された場合、前記第１の記憶部内の前記対応情報を参照して、前記ある接続要求情報に基づいて、前記ある接続要求元に適用されるポリシーを決定する決定部と、
前記決定部によって決定されたポリシーを前記ゲートウェイを介して前記ある接続要求元に送信する送信部と、
前記決定部によって前記ポリシーが決定された場合、前記第２の記憶部に記憶された前記ある接続要求情報を前記第２の記憶部から消去する消去部と、
を有することを特徴とするネットワークシステム。
【請求項２】
前記ポリシー制御装置は、
前記ポリシー管理サーバの障害を検出する検出部を有し、
前記決定部は、前記検出部によって障害が検出された場合、前記第１の記憶部内の前記対応情報を参照して、前記ある接続要求情報に基づいて、前記ある接続要求元に適用されるポリシーを決定することを特徴とする請求項１に記載のネットワークシステム。
【請求項３】
前記決定部は、前記検出部によって障害が検出された場合に、前記判定部によってしきい値以上でないと判定された場合であっても、前記第１の記憶部内の前記対応情報を参照して、前記ある接続要求情報に基づいて、前記ある接続要求元に適用されるポリシーを決定することを特徴とする請求項２に記載のネットワークシステム。
【請求項４】
前記判定部は、さらに、前記ある接続要求元の優先度の有無を判定し、
前記決定部は、さらに、前記優先度があると判定された場合、前記第１の記憶部内の前記対応情報を参照して、前記ある接続要求情報に基づいて、前記ある接続要求元に適用されるポリシーを決定することを特徴とする請求項１に記載のネットワークシステム。
【請求項５】
前記判定部は、さらに、前記優先度が所定優先度以上であるか否かを判定し、
前記決定部は、さらに、前記優先度が前記所定優先度以上であると判定された場合、前記第１の記憶部内の前記対応情報を参照して、前記ある接続要求情報に基づいて、前記接続要求元に適用されるポリシーを決定することを特徴とする請求項４に記載のネットワークシステム。
【請求項６】
ゲートウェイと、サービス情報に応じたポリシーを規定する対応情報を記憶するポリシー管理サーバと、に通信可能に接続されたポリシー制御装置であって、
前記ポリシー管理サーバから配布された前記対応情報を記憶する第１の記憶部と、
前記ゲートウェイを介して接続要求元からネットワークへの接続要求メッセージが受信された場合に、前記接続要求メッセージ内の前記接続要求元に適用されるサービスを示すサービス情報を含む接続要求情報を、第２の記憶部に格納する格納部と、
ある接続要求元からのある接続要求メッセージが受信され、前記ある接続要求メッセージ内の前記ある接続要求元に適用されるサービスを示すサービス情報を含むある接続要求情報が、前記第２の記憶部に格納された場合、前記格納部によって前記第２の記憶部に蓄積された接続要求情報群の前記第２の記憶部の記憶領域に対する割合を示す使用率が、しきい値以上であるか否かを判定する判定部と、
前記判定部によって前記使用率がしきい値以上であると判定された場合、前記第１の記憶部内の前記対応情報を参照して、前記ある接続要求情報に基づいて、前記ある接続要求元に適用されるポリシーを決定する決定部と、
前記決定部によって決定されたポリシーを前記ゲートウェイを介して前記ある接続要求元に送信する送信部と、
前記決定部によって前記ポリシーが決定された場合、前記第２の記憶部に記憶された前記ある接続要求情報を前記第２の記憶部から消去する消去部と、
を有することを特徴とするポリシー制御装置。
【請求項７】
ゲートウェイと、サービス情報に応じたポリシーを規定する対応情報を記憶するポリシー管理サーバと、に通信可能に接続されたポリシー制御装置が実行する制御方法であって、
前記ポリシー制御装置は、前記ポリシー管理サーバから配布された前記対応情報を記憶する第１の記憶部を有し、
前記制御方法は、
前記ゲートウェイを介して接続要求元からネットワークへの接続要求メッセージが受信された場合に、前記接続要求メッセージ内の前記接続要求元に適用されるサービスを示すサービス情報を含む接続要求情報を、第２の記憶部に格納する格納手順と、
ある接続要求元からのある接続要求メッセージが受信され、前記ある接続要求メッセージ内の前記ある接続要求元に適用されるサービスを示すサービス情報を含むある接続要求情報が、前記第２の記憶部に格納された場合、前記格納部によって前記第２の記憶部に蓄積された接続要求情報群の前記第２の記憶部の記憶領域に対する割合を示す使用率が、しきい値以上であるか否かを判定する判定手順と、
前記判定手順によって前記使用率がしきい値以上であると判定された場合、前記第１の記憶部内の前記対応情報を参照して、前記ある接続要求情報に基づいて、前記ある接続要求元に適用されるポリシーを決定する決定手順と、
前記決定手順によって決定されたポリシーを前記ゲートウェイを介して前記ある接続要求元に送信する送信手順と、
前記決定手順によって前記ポリシーが決定された場合、前記第２の記憶部に記憶された前記ある接続要求情報を前記第２の記憶部から消去する消去手順と、
を含むことを特徴とする制御方法。
【発明の詳細な説明】
【技術分野】
【０００１】
本発明は、ネットワークの運用管理に用いられるポリシーを制御するネットワークシステム、ポリシー制御装置、および制御方法に関する。
【背景技術】
【０００２】
３ＧＰＰ（Ｔｈｅ  Ｔｈｉｒｄ  Ｇｅｎｅｒａｔｉｏｎ  Ｐａｒｔｎｅｒｓｈｉｐ  Ｐｒｏｊｅｃｔ）で規定されているＬＴＥ（Ｌｏｎｇ  Ｔｅｒｍ  Ｅｖｏｌｕｔｉｏｎ）ネットワークを含め、さまざまな理由でネットワークの輻輳が発生することがある。たとえば、年末年始等のスマートフォンからネットワークへの一斉アクセスにより、輻輳が発生する。これにより、ネットワーク設備が故障する要因となり、サービスが提供できなくなる可能性がある。このような輻輳が起因となる問題に対して、ネットワークの輻輳を回避および軽減する方法には、以下の方法および技術がある。
【０００３】
たとえば、輻輳が予想される時間帯に、接続するユーザを一部制限するという方法がある。また、ネットワーク輻輳時には、輻輳しているネットワーク装置は、一部のスマートフォンからのアクセスを拒否するといった方法がある。また、通信事業者が設備を増設することで、輻輳を回避するという方法もあるが、費用対効果が得られない場合もある。
【０００４】
また、ネットワークの運用管理に不可欠なポリシールールの見直し作業を自動化する従来技術１がある（たとえば、下記特許文献１を参照。）。従来技術１には、それぞれがネットワーク運用管理方針であり、管理対象のネットワークの状態を示すコンディションと、その状態において実施すべき管理制御を示すアクションとからなる複数のポリシールールが登録されたポリシーサーバがある。
【０００５】
ポリシーサーバは、複数のポリシールールの各々について、適用された期間に関する情報および適用結果を示す情報を含む適用履歴情報を収集する。ポリシーサーバは、適用履歴情報を解析して、適用されたポリシールールに対応するコンディションの発生にかかわる統計情報を収集する。ポリシーサーバは、統計情報に基づいて、各ポリシールールを構成するコンディションおよびアクションの変更を行う。
【０００６】
また、ネットワークに輻輳が発生しても、サーバ品質の劣化なくパケットの優先転送する従来技術２がある（たとえば、下記特許文献２を参照。）。従来技術２のネットワークシステムは、優先論理ネットワークと非優先論理ネットワークとを有する。加入者は、自己の選択によりポリシーをサーバに登録すると共に、輻輳発生時の対応策として付加的なサービスを受けることができ、そのサービスをサーバに登録する。ノードが輻輳を検出すると、輻輳情報がサーバに通知され、サーバは登録したサービスに応じて加入者のポリシーを変更する。また、輻輳が回復した場合、変更したポリシーを元の登録したポリシーに戻す。
【０００７】
また、緊急通信サービス（たとえば、ＧＥＴＳ（Ｇｏｖｅｒｎｍｅｎｔ  Ｅｍｅｒｇｅｎｃｙ  Ｔｅｌｅｃｏｍｍｕｎｉｃａｔｉｏｎｓ  Ｓｅｒｖｉｃｅ：政府の緊急通信サービス））をサポートするためのホーム加入者サーバと方法に関する従来技術３がある（たとえば、下記特許文献３を参照。）。従来技術３は、ＩＭＳ（ＩＰ  Ｍｕｌｔｉｍｅｄｉａ  Ｓｕｂｓｙｓｔｅｍ（ＩＰマルチメディア・サブシステム））の加入者に対する通信アクセスを、多様なユーザ優先度値を多様なネットワーク条件ステータスに関連付けることによって、選択的に提供する。
【先行技術文献】
【特許文献】
【０００８】
【特許文献１】特開２００５−３５４２８０号公報
【特許文献２】特開２００２−１９０８２６号公報
【特許文献３】特表２０１２−５３３２５４号公報
【発明の概要】
【発明が解決しようとする課題】
【０００９】
しかしながら、接続要求元である端末から接続要求メッセージを受けたサーバＡと、サーバＡから接続要求元である端末に適用すべきポリシーを決定するサーバＢとの間に通信の輻輳が発生した場合、サーバＢからの応答待ちが発生する。したがって、サーバＡでは、接続要求メッセージが滞留してバッファの使用量が増大し負荷が増大するという問題がある。
【００１０】
また、従来技術１では、ネットワーク輻輳時において、ネットワークの運用管理に不可欠なポリシールールの見直し作業については考慮されていない。また、従来技術２では、ネットワーク輻輳時において、ユーザのグレード情報をサーバで変更したり、呼処理バッファを「優先」または「非優先」で分類するにとどまり、サーバの負荷低減までは考慮されていない。また、従来技術３では、加入者情報サーバに加入者のグレードを保持するにとどまり、ネットワークシステムの呼処理においてグレード情報を活用していない。したがって、従来技術１〜３では、上述したサーバＡにおいて接続要求メッセージが滞留してバッファの使用量が増大し、負荷が増大する。
【００１１】
本発明は、応答待ちによる接続要求メッセージの滞留を低減することを目的とする。
【課題を解決するための手段】
【００１２】
本願において開示される発明の一側面となるネットワークシステムは、ゲートウェイと、ポリシー制御装置と、サービス情報に応じたポリシーを規定する対応情報を記憶するポリシー管理サーバと、を有する。当該ネットワークシステムにおいて、ポリシー制御装置は、前記ゲートウェイを介して接続要求元からネットワークへの接続要求メッセージが受信された場合に、前記接続要求メッセージ内の前記接続要求元に適用されるサービスを示すサービス情報を含む接続要求情報を、第２の記憶部に格納する格納手順と、ある接続要求元からのある接続要求メッセージが受信され、前記ある接続要求メッセージ内の前記ある接続要求元に適用されるサービスを示すサービス情報を含むある接続要求情報が、前記第２の記憶部に格納された場合、前記格納部によって前記第２の記憶部に蓄積された接続要求情報群の前記第２の記憶部の記憶領域に対する割合を示す使用率が、しきい値以上であるか否かを判定する判定手順と、前記判定手順によって前記使用率がしきい値以上であると判定された場合、前記第１の記憶部内の前記対応情報を参照して、前記ある接続要求情報に基づいて、前記ある接続要求元に適用されるポリシーを決定する決定手順と、前記決定手順によって決定されたポリシーを前記ゲートウェイを介して前記ある接続要求元に送信する送信手順と、前記決定手順によって前記ポリシーが決定された場合、前記第２の記憶部に記憶された前記ある接続要求情報を前記第２の記憶部から消去する消去手順と、を実行する。
【発明の効果】
【００１３】
本発明の代表的な実施の形態によれば、応答待ちによる接続要求メッセージの滞留を低減することができる。前述した以外の課題、構成及び効果は、以下の実施例の説明により明らかにされる。
【図面の簡単な説明】
【００１４】
【図１】本実施の形態にかかるネットワークシステムのシステム構成例を示すブロック図である。
【図２】ネットワークシステムによる端末と通信網との新規接続シーケンス例１を示すシーケンス図である。
【図３】ネットワークシステムによる端末と通信網との新規接続シーケンス例２を示すシーケンス図である。
【図４】ネットワークシステムによる端末と通信網との新規接続シーケンス例３を示すシーケンス図である。
【図５】コンピュータのハードウェア構成例を示すブロック図である。
【図６】加入者情報管理テーブルの記憶内容例を示す説明図である。
【図７】グレード情報管理テーブルの記憶内容例を示す説明図である。
【図８】ポリシー情報管理テーブルの記憶内容例を示す説明図である。
【図９】ＱｏＳ情報管理テーブルの記憶内容例を示す説明図である。
【図１０】課金情報管理テーブルの記憶内容例を示す説明図である。
【図１１】新規接続テーブルの記憶内容例を示す説明図である。
【図１２】ポリシー制御装置の機能的構成例を示すブロック図である。
【図１３】ポリシー制御装置の新規接続処理手順例１を示すフローチャートである。
【図１４】ポリシー制御装置の新規接続処理手順例２を示すフローチャートである。
【発明を実施するための形態】
【００１５】
本実施の形態では、ユーザの制限やアクセス拒否、設備の増設をすることなく、接続要求元である端末から接続要求メッセージを受けたサーバＡと、サーバＡから接続要求元である端末に適用すべきポリシーを決定するサーバＢとの間に通信の輻輳の低減化を図る。なお、本実施の形態では、３ＧＰＰで規定されているＬＴＥネットワークを例に挙げて説明するが、本発明は、ＬＴＥに限られない。
以下、図面を用いて説明する。
【００１６】
＜ネットワークシステムのシステム構成＞
図１は、本実施の形態にかかるネットワークシステムのシステム構成例を示すブロック図である。ネットワークシステム１００は、端末１１０と通信網１２０とを接続するシステムである。端末１１０は、通信網１２０に接続して接続相手（不図示）と通信するコンピュータである。端末１１０は、たとえば、携帯電話機、スマートフォン、携帯ゲーム機、ノート型パソコン、タブレット、カーナビゲーション装置である。以下、端末１１０を「ＵＥ」と表記する場合がある。通信網１２０は、ネットワークシステム１００からインターネットに繋がるパケット通信網１２０である。以下、通信網１２０を「ＰＤＮ（Ｐａｃｋｅｔ  Ｄａｔａ  Ｎｅｔｗｏｒｋ）」と表記する場合がある。
【００１７】
ネットワークシステム１００は、基地局１０１と、端末管理装置１０２と、加入者情報サーバ１０３と、ゲートウェイ１０４と、ポリシー制御装置１０５と、ポリシー管理サーバ１０６と、を有する。基地局１０１は、端末１１０と電波で通信を行う。以下、基地局１０１を「ｅＮＢ」と表記する場合がある。端末管理装置１０２は、端末１１０の位置を管理する。以下、端末管理装置１０２を「ＭＭＥ」と表記する場合がある。加入者情報サーバ１０３は、端末１１０を用いて接続してきたユーザの契約情報を管理する。以下、加入者情報サーバ１０３を「ＨＳＳ」と表記する場合がある。
【００１８】
ポリシー制御装置１０５は、ポリシーと呼ばれる、接続してきた端末１１０の接続形態を制御する。ポリシーは、ポリシー管理サーバ１０６から配布されるポリシー情報に規定される。以下、ポリシー制御装置１０５を「ＰＣＲＦ」と表記すＲ場合がある。ゲートウェイ１０４は、端末１１０と通信網１２０との情報のやり取りを管理する。ゲートウェイ１０４は、サービスゲートウェイ１０４（Ｓｅｒｖｉｎｇ  Ｇａｔｅｗａｙ（ＳＧＷ））と、ＰＤＮゲートウェイ１０４（ＰＧＷ）と、を含む。以下、ゲートウェイ１０４を「ＳＧＷ／ＰＧＷ」と表記する場合がある。ポリシー管理サーバ１０６は、ポリシー情報を規定したポリシー情報管理テーブルを管理し、ポリシー情報管理テーブルをポリシー制御装置１０５に配布する。以下、ポリシー管理サーバ１０６を、「ＳＰＲ」と表記する場合がある。なお、図１では、ポリシー制御装置１０５とポリシー管理サーバ１０６とを別装置としたが、ポリシー制御装置１０５にポリシー管理サーバ１０６の機能を組み込んで、一体型としてもよい。
【００１９】
＜新規接続シーケンス例１＞
図２は、ネットワークシステム１００による端末１１０と通信網１２０との新規接続シーケンス例１を示すシーケンス図である。ここでは、端末１１０のユーザを特定するユーザ識別子（Ｉｎｔｅｒｎａｔｉｏｎａｌ  Ｍｏｂｉｌｅ  Ｓｕｂｓｃｒｉｂｅｒ  Ｉｄｅｎｔｉｔｙ（ＩＭＳＩ））を「ＩＭＳＩ＃１」、端末１１０にサービスを提供する接続相手を特定するサービス識別子（Ａｃｃｅｓｓ  Ｐｏｉｎｔ  Ｎａｍｅ（ＡＰＮ））を、「ＡＰＮ＃１」として説明する。
【００２０】
まず、端末１１０は、基地局１０１に接続要求メッセージＲＱ１を送信する。接続要求メッセージＲＱ１には、ユーザ識別子ＩＭＳＩ＃１とサービス識別子ＡＰＮ＃１とが含まれる。基地局１０１は、接続要求メッセージＲＱ１を受信すると、端末管理装置１０２に接続要求メッセージＲＱ１を送信する。端末管理装置１０２は、接続要求メッセージＲＱ１を受信すると、加入者情報サーバ１０３に接続要求メッセージＲＱ１を送信する。
【００２１】
加入者情報サーバ１０３は、接続要求メッセージＲＱ１を受信すると、接続要求メッセージＲＱ１に含まれるユーザ識別子ＩＭＳＩ＃１とサービス識別子ＡＰＮ＃１とに対応するグレードを取得する。グレードの取得方法については後述する。グレードとは、端末１１０のユーザの優先度を示す情報である。本実施の形態では、一例としてグレードをＡ，Ｂ，Ｃ，Ｄとし、Ａが最も高い優先度、Ｄが最も低い優先度とする。
【００２２】
ここでは、あるグレードＧが取得されたものとする。加入者情報サーバ１０３は、接続応答メッセージＲＳ１を、接続要求メッセージＲＱ１を送信した端末管理装置１０２に送信する。接続応答メッセージＲＳ１は、ユーザ識別子ＩＭＳＩ＃１とサービス識別子ＡＰＮ＃１とグレードＧとを含む。
【００２３】
端末管理装置１０２は、接続応答メッセージＲＳ１を受信すると、接続要求メッセージＲＱ２をゲートウェイ１０４に送信する。接続要求メッセージＲＱ２は、ユーザ識別子ＩＭＳＩ＃１とサービス識別子ＡＰＮ＃１とグレードＧとを含む。ゲートウェイ１０４は、接続要求メッセージＲＱ２を受信すると、接続要求メッセージＲＱ２をポリシー制御装置１０５に転送する。
【００２４】
ポリシー制御装置１０５は、ポリシー制御処理２００を実行する。ポリシー制御処理２００とは、端末１１０に応じたポリシーを取得する処理である。具体的には、たとえば、ポリシー制御装置１０５は、接続要求メッセージＲＱ２に含まれる情報（ユーザ識別子ＩＭＳＩ＃１、サービス識別子ＡＰＮ＃１、グレードＧ）を、新規接続テーブル２０１に一時的に保持する。そして、ポリシー制御装置１０５は、接続要求メッセージＲＱ２をポリシー管理サーバ１０６に送信する。
【００２５】
ポリシー管理サーバ１０６は、ポリシー情報管理テーブルを参照して、接続要求メッセージＲＱ２に含まれるサービス識別子ＡＰＮ＃１とグレードＧとに対応するポリシー情報を取得する。ポリシー情報の取得方法については後述する。ポリシーとは、たとえば、端末１１０のユーザに対する課金額を規定する課金情報やサービス品質（Ｑｕａｌｉｔｙ  ｏｆ  Ｓｅｒｖｉｃｅ（ＱｏＳ））である。課金情報とは、たとえば、ユーザに適用される課金額や課金プラン（従量制、定額制など）である。サービス品質とは、たとえば、ユーザに適用される通信帯域である。ここでは、あるポリシーを示すポリシー情報Ｐが取得されたものとする。ポリシー管理サーバ１０６は、ポリシー制御装置１０５に接続応答メッセージＲＳ２を送信する。接続応答メッセージＲＳ２は、ユーザ識別子ＩＭＳＩ＃１とサービス識別子ＡＰＮ＃１とポリシー情報Ｐとを含む。
【００２６】
このあと、ポリシー制御装置１０５は、ポリシー制御処理２００により、接続応答メッセージＲＳ２をゲートウェイ１０４に送信する。そして、ポリシー制御装置１０５は、新規接続テーブル２０１に一時的に保持されている情報（ユーザ識別子ＩＭＳＩ＃１、サービス識別子ＡＰＮ＃１、グレードＧ）を、新規接続テーブル２０１から消去する。これにより、新規接続テーブル２０１に空きが生じるため、新規接続テーブル２０１の使用量の低減を図ることができる。
【００２７】
このあと、ゲートウェイ１０４は、接続応答メッセージＲＳ２を受信すると、端末管理装置１０２に接続応答メッセージＲＳ２を送信する。端末管理装置１０２は、接続応答メッセージＲＳ２を受信すると、基地局１０１に接続応答メッセージＲＳ２を送信する。基地局１０１は、接続応答メッセージＲＳ２を受信すると、端末１１０に接続応答メッセージＲＳ２を送信する。これにより、端末１１０は、接続応答メッセージＲＳ２に含まれるポリシー情報Ｐを取得することができる。このあと、端末１１０は、ポリシー情報Ｐにしたがって通信網１２０に接続し、通常通り通信網１２０と通信することができる。
【００２８】
＜新規接続シーケンス例２＞
図３は、ネットワークシステム１００による端末１１０と通信網１２０との新規接続シーケンス例２を示すシーケンス図である。新規接続シーケンス例２は、ポリシー管理サーバ１０６で障害発生中に端末１１０から接続要求メッセージが送信されてきた場合の新規接続例である。接続要求メッセージおよび接続応答メッセージについては、図２に示したＲＱ１、ＲＱ２、ＲＳ１、ＲＳ２を流用する。また、端末１１０からポリシー制御装置１０５へのメッセージの送信については図２と同一であるため説明を省略する。
【００２９】
ポリシー制御装置１０５は、常時ポリシー管理サーバ１０６を監視しており、ポリシー管理サーバ１０６で障害が発生した場合には、その障害発生を検知する。ポリシー制御装置１０５は、ポリシー管理サーバ１０６で障害発生中に接続要求メッセージＲＱ２を受信すると、ポリシー制御処理２００を実行する。ポリシー制御処理２００では、ポリシー管理サーバ１０６で障害発生中に接続要求メッセージＲＱ２を受信すると、図２と同様、接続要求メッセージＲＱ２に含まれる情報（ユーザ識別子ＩＭＳＩ＃１、サービス識別子ＡＰＮ＃１、グレードＧ）を、新規接続テーブル２０１に一時的に保持するが、接続要求メッセージＲＱ２をポリシー管理サーバ１０６に送信しない。
【００３０】
ポリシー管理サーバ１０６は障害発生中であるため、接続要求メッセージＲＱ２をポリシー管理サーバ１０６に送信しても、ポリシー管理サーバ１０６から接続応答メッセージＲＳ２が返ってこないからである。このまま接続応答メッセージＲＳ２を待ち続けると、新規接続テーブル２０１では、後続の接続要求メッセージＲＱ２に含まれる情報が滞留し、輻輳状態となるため、新規接続テーブル２０１を逼迫させる。
【００３１】
このため、ポリシー制御装置１０５は、接続要求メッセージＲＱ２をポリシー管理サーバ１０６に送信することなく、ポリシー管理サーバ１０６から配布されたポリシー情報管理テーブルを参照して、接続要求メッセージＲＱ２に含まれるサービス識別子ＡＰＮ＃１とグレードＧとに対応するポリシー情報Ｐを取得する。これにより、新規接続テーブル２０１の使用量の逼迫を抑制することができる。
【００３２】
このあとは、図２と同様、ポリシー制御装置１０５は、接続応答メッセージＲＳ２を、ゲートウェイ１０４、端末管理装置１０２、基地局１０１を経由して端末１１０に送信する。そして、ポリシー制御装置１０５は、新規接続テーブル２０１に一時的に保持されている情報（ユーザ識別子ＩＭＳＩ＃１、サービス識別子ＡＰＮ＃１、グレードＧ）を、新規接続テーブル２０１から消去する。このように、ポリシー管理サーバ１０６で障害発生中に接続要求した場合でも、接続応答メッセージの未達による負荷をなくして新規接続を実現することができる。
【００３３】
＜新規接続シーケンス例２＞
図４は、ネットワークシステム１００による端末１１０と通信網１２０との新規接続シーケンス例３を示すシーケンス図である。新規接続シーケンス例３は、ポリシー管理サーバ１０６で障害が発生していない状態で接続要求をしたときにポリシー管理サーバ１０６で障害が発生した場合の新規接続例である。
【００３４】
図４において、端末４からの接続要求メッセージＲＱ１には、ユーザ識別子ＩＭＳＩ＃１およびサービス識別子ＡＰＮ＃１が含まれる。図２に示したような転送過程により、端末４からの接続要求メッセージＲＱ１は、グレードＧ１を含む接続要求メッセージＲＱ２となり、ポリシー制御装置１０５で受信される。また、新規接続テーブル２０１に格納される情報Ｄ１は、接続要求メッセージＲＱ２に含まれる情報（ユーザ識別子ＩＭＳＩ＃１、サービス識別子ＡＰＮ＃１、グレードＧ１）である。また、端末４に送信される接続応答メッセージＲＳ２は、ユーザ識別子ＩＭＳＩ＃１、サービス識別子ＡＰＮ＃１、ポリシー情報Ｐ１を含む。
【００３５】
また、端末４０からの接続要求メッセージＲＱ１０には、ユーザ識別子ＩＭＳＩ＃１０およびサービス識別子ＡＰＮ＃１０が含まれる。図２に示したような転送過程により、端末４０からの接続要求メッセージＲＱ１０は、グレードＧ１０を含む接続要求メッセージＲＱ２０となり、ポリシー制御装置１０５で受信される。また、新規接続テーブル２０１に格納される情報Ｄ１０は、接続要求メッセージＲＱ２０に含まれる情報（ユーザ識別子ＩＭＳＩ＃１０、サービス識別子ＡＰＮ＃１０、グレードＧ１０）である。また、端末４０に送信される接続応答メッセージＲＳ２０は、ユーザ識別子ＩＭＳＩ＃１０、サービス識別子ＡＰＮ＃１０、ポリシー情報Ｐ１０を含む。
【００３６】
また、端末４００からの接続要求メッセージＲＱ１００には、ユーザ識別子ＩＭＳＩ＃１００およびサービス識別子ＡＰＮ＃１００が含まれる。図２に示したような転送過程により、端末４００からの接続要求メッセージＲＱ１００は、グレードＧ１００を含む接続要求メッセージＲＱ２００となり、ポリシー制御装置１０５で受信される。また、新規接続テーブル２０１に格納される情報Ｄ１００は、接続要求メッセージＲＱ２００に含まれる情報（ユーザ識別子ＩＭＳＩ＃１００、サービス識別子ＡＰＮ＃１００、グレードＧ１００）である。また、端末４００に送信される接続応答メッセージＲＳ２００は、ユーザ識別子ＩＭＳＩ＃１００、サービス識別子ＡＰＮ＃１００、ポリシー情報Ｐ１００を含む。
【００３７】
なお、図４において、端末４、４０、４００とポリシー制御装置１０５との間のメッセージの送信については図２と同一であるため説明を省略する。
【００３８】
ポリシー管理サーバ１０６で障害が発生していない状態で、ポリシー制御装置１０５からそれぞれ接続要求メッセージＲＱ２、ＲＱ２０、ＲＱ２００が送信された場合に、ポリシー管理サーバ１０６で障害が発生したとする。この場合、ポリシー管理サーバ１０６から接続応答メッセージＲＳ２、ＲＳ２０、ＲＳ２００が返ってこないため、新規接続テーブル２０１では、接続要求メッセージＲＱ２、ＲＱ２０、ＲＱ２００の各々に含まれる情報Ｄ１、Ｄ１０、Ｄ１００が滞留し、輻輳状態となるため、新規接続テーブル２０１を逼迫する。
【００３９】
このため、ポリシー制御装置１０５は、接続要求メッセージＲＱ２、ＲＱ２０、ＲＱ２００のポリシー管理サーバ１０６への送信を停止する。そして、ポリシー制御装置１０５は、ポリシー管理サーバ１０６から配布されたポリシー管理テーブルを参照して、接続要求メッセージＲＱ２、ＲＱ２０、ＲＱ２００の各々について、接続要求メッセージに含まれるサービス識別子とグレードとに対応するポリシー情報Ｐ１、Ｐ１０、Ｐ１００を取得する。これにより、ポリシー管理サーバ１０６の障害によりポリシー監視サーバからポリシー情報が得られない場合でも、ポリシー情報を得ることができる。
【００４０】
そして、ポリシー制御装置１０５は、接続応答メッセージＲＳ２、ＲＳ２０、ＲＳ２００を送信する。これにより、各端末４、４０、４００は、通信網１２０に接続することができる。また、ポリシー制御装置１０５は、送信された接続応答メッセージに対応する接続要求メッセージの情報Ｄ１、Ｄ１０、Ｄ１００を新規接続テーブル２０１から消去する。これにより、不要な情報Ｄ１、Ｄ１０、Ｄ１００を払い出すことができ、新規接続テーブル２０１の使用量の逼迫を抑制することができる。
【００４１】
＜コンピュータのハードウェア構成例＞
図５は、コンピュータのハードウェア構成例を示すブロック図である。ここで、コンピュータとは、たとえば、図１に示した端末１１０（図４の端末４、４０、４００も含む）、基地局１０１、端末管理装置１０２、加入者情報サーバ１０３、ゲートウェイ１０４、ポリシー制御装置１０５、ポリシー管理サーバ１０６の総称である。
【００４２】
コンピュータ５００は、プロセッサ５０１と、記憶デバイス５０２と、入力デバイス５０３と、出力デバイス５０４と、通信インターフェース（通信ＩＦ５０５）と、を有する。プロセッサ５０１、記憶デバイス５０２、入力デバイス５０３、出力デバイス５０４、および通信ＩＦ５０５は、バス５０６により接続される。プロセッサ５０１は、コンピュータ５００を制御する。記憶デバイス５０２は、プロセッサ５０１の作業エリアとなる。
【００４３】
また、記憶デバイス５０２は、各種プログラムやデータを記憶する。記憶デバイス５０２としては、たとえば、ＲＯＭ（Ｒｅａｄ  Ｏｎｌｙ  Ｍｅｍｏｒｙ）、ＲＡＭ（Ｒａｎｄｏｍ  Ａｃｃｅｓｓ  Ｍｅｍｏｒｙ）、ＨＤＤ（Ｈａｒｄ  Ｄｉｓｋ  Ｄｒｉｖｅ）、フラッシュメモリがある。入力デバイス５０３は、データを入力する。入力デバイス５０３としては、たとえば、キーボード、マウス、タッチパネル、テンキー、スキャナがある。出力デバイス５０４は、データを出力する。出力デバイス５０４としては、たとえば、ディスプレイ、プリンタがある。通信ＩＦ５０５は、他装置と接続してデータを送受信する。
【００４４】
＜テーブル例＞
つぎに、本実施の形態で用いられるテーブルについて図６〜図１１を用いて説明する。なお、図６〜図１１では、一例としてテーブルを用いているが、テーブルに限らず、リスト、データベース、キュー等のデータ構造でもよい。またこれら以外のデータ構造で表現されてもよい。
【００４５】
図６は、加入者情報管理テーブルの記憶内容例を示す説明図である。加入者情報管理テーブル６００は、加入者情報サーバ１０３が記憶する情報である。加入者情報管理テーブル６００とは、加入者である端末１１０のユーザに関する情報を管理するテーブルである。加入者情報管理テーブル６００は、ユーザ名項目と、ユーザ識別子項目と、サービス識別子項目と、契約形態項目とを有し、エントリごとに、ユーザ名、ユーザ識別子、サービス識別子、契約形態を含む加入者情報を規定する。
【００４６】
ユーザ名項目は、エントリのユーザ名を指定する。ユーザ名とはエントリのインデックスとなる情報である。図６では、便宜上、「ユーザ１」、「ユーザ２」、…と規定される。ユーザ識別子項目は、エントリのユーザ識別子を指定する。ユーザ識別子は上述したように、端末１１０のユーザを特定する情報である。サービス識別子項目は、エントリのサービス識別子を指定する。サービス識別子は上述したように、端末１１０にサービスを提供する接続相手を特定する情報である。契約形態項目は、エントリの契約形態を指定する。契約形態とは、端末１１０のユーザとの通信に関する契約の種別を規定する情報である。たとえば、契約形態としては、「データのみ」、「通話のみ」、「通話＋データ」の３種類がある。加入者情報管理テーブル６００を参照することにより、どのユーザがどのようなサービスの提供をどのような契約形態で受けるかを確認することができる。
【００４７】
図７は、グレード情報管理テーブルの記憶内容例を示す説明図である。グレード情報管理テーブル７００は、加入者情報サーバ１０３が記憶する情報である。グレード情報管理テーブル７００とは、グレード情報を管理するテーブルである。グレード情報とは、ユーザに適用される優先度であるグレードを含む情報である。グレード情報管理テーブル７００は、ユーザ名項目と、ユーザ識別子項目と、サービス識別子項目と、グレード項目とを有し、エントリごとに、ユーザ名、ユーザ識別子、サービス識別子、グレードを含むグレード情報を規定する。
【００４８】
グレード項目は、エントリのグレードを指定する。グレードとは、上述したように、ユーザに適用される優先度である。一例としてグレードをＡ，Ｂ，Ｃ，Ｄとし、Ａが最も高い優先度、Ｄが最も低い優先度とする。グレード情報管理テーブル７００を参照することにより、どのユーザがどのようなサービスの提供をどのようなグレードで受けるかを確認することができる。
【００４９】
図８は、ポリシー情報管理テーブルの記憶内容例を示す説明図である。ポリシー情報管理テーブル８００は、ポリシー管理サーバ１０６が記憶する情報である。また、ポリシー情報管理テーブル８００は、ポリシー管理サーバ１０６からポリシー制御装置１０５に配布されるため、ポリシー制御装置１０５にも記憶される。ポリシー情報管理テーブル８００は、ポリシー情報を管理するテーブルである。ポリシー情報とは、端末１１０に適用されるポリシーを特定する情報であり、ポリシーとは、端末１１０に適用される規則を示すデータである。ポリシー情報管理テーブル８００は、サービス識別子項目と、ＱｏＳＩＤ項目と、課金ＩＤ項目と、グレード項目とを有し、エントリごとに、サービス識別子、ＱｏＳＩＤ、課金ＩＤ、グレードを含むポリシー情報を規定する。
【００５０】
ＱｏＳＩＤ項目は、エントリのＱｏＳＩＤを指定する。ＱｏＳＩＤとは、端末１１０に提供されるサービスのサービス品質を示すＱｏＳ情報を一意に特定する情報である。課金ＩＤ項目は、エントリの課金ＩＤを指定する。課金ＩＤとは、ユーザに適用される課金情報を一意に特定する情報である。ポリシー情報管理テーブル８００を参照することにより、サービス識別子とグレードとの組み合わせにより、ポリシーを指定するＱｏＳＩＤおよび課金ＩＤの組み合わせを特定することができる。
【００５１】
図９は、ＱｏＳ情報管理テーブル９００の記憶内容例を示す説明図である。ＱｏＳ情報管理テーブル９００は、ポリシー制御装置１０５が記憶する情報である。ＱｏＳ情報管理テーブル９００は、ＱｏＳＩＤ項目と、ＱＣＩ（ＱｏＳ  Ｃｌａｓｓ  Ｉｄｅｎｔｉｆｉｅｒ）項目と、最大帯域項目と、保証帯域項目と、を有し、エントリごとに、ＱｏＳＩＤ、ＱＣＩ、最大帯域、保証帯域を含むＱｏＳ情報を規定する。
【００５２】
ＱＣＩ項目は、エントリのＱＣＩを指定する。ＱＣＩとは、ＱｏＳのクラスを指定する情報である。最大帯域項目は、エントリの最大帯域を指定する。保証帯域項目は、エントリに許容される保証帯域を指定する。すなわち、エントリにより特定されるＱｏＳは、最大帯域と保証帯域との間の帯域で提供されるサービスを示す。ＱｏＳ情報管理テーブル９００を参照することにより、ＱｏＳＩＤで指定されたＱｏＳがどのようなクラスであり、その保証帯域と最大帯域で規定される帯域範囲がどのような範囲であるかを特定することができる。
【００５３】
図１０は、課金情報管理テーブル１０００の記憶内容例を示す説明図である。課金情報管理テーブル１０００は、ポリシー制御装置１０５が記憶する情報である。課金情報管理テーブル１０００は、課金情報を管理するテーブルである。課金情報管理テーブル１０００は、課金ＩＤ項目と、課金実施有無項目と、課金方式項目とを有し、エントリごとに、課金ＩＤ、課金実施有無、課金方式を含む課金情報を規定する。
【００５４】
課金ＩＤ項目は、エントリの課金ＩＤを指定する。課金ＩＤとは、エントリとなる課金情報を一意に特定する情報である。課金実施有無項目は、エントリの課金実施有無を指定する。課金実施有無とは、課金を実施するか否かを規定する情報である。課金方式項目は、エントリの課金方式を指定する。課金方式とは、ユーザに対する課金方法を規定する情報である。たとえば、通信したパケット量に比例して課金される従量課金や通信時間に比例して課金される時間課金、パケット量や通信時間にかかわらす一定な固定課金がある。課金情報管理テーブル１０００を参照することにより、課金ＩＤで指定された課金情報の課金実施有無や課金方式を特定することができる。
【００５５】
図１１は、新規接続テーブル２０１の記憶内容例を示す説明図である。新規接続テーブル２０１は、ポリシー制御装置１０５が記憶する情報である。新規接続テーブル２０１は、接続要求メッセージに含まれる情報を一時的に保持するテーブルである。新規接続テーブル２０１は、ユーザ識別子項目と、サービス識別子項目と、グレード項目と、を有し、エントリごとに、接続要求メッセージ内のグレード情報を規定する。
【００５６】
＜ポリシー制御装置１０５の機能的構成例＞
図１２は、ポリシー制御装置１０５の機能的構成例を示すブロック図である。ポリシー制御装置１０５は、第１の記憶部１２１０と、第２の記憶部１２２０と、受信部１２０１と、格納部１２０２と、判定部１２０３と、決定部１２０４と、検出部１２０５と、送信部１２０６と、消去部１２０７と、を有する。第１の記憶部１２１０および第２の記憶部１２２０は、具体的には、たとえば、図５に示した記憶デバイス５０２によりその機能を実現する。また、受信部１２０１〜消去部１２０７は、具体的には、たとえば、図５に示した記憶デバイス５０２に記憶されたプログラムをプロセッサ５０１に実行させることによりその機能を実現する。
【００５７】
第１の記憶部１２１０は、ポリシー管理サーバ１０６から配布されるポリシー情報管理テーブル８００を記憶する。ポリシー情報管理テーブル８００が第１の記憶部１２１０に記憶されることにより、図３および図４に示したように、輻輳が発生した場合でもポリシー管理サーバ１０６にアクセスすることなく、ポリシー制御装置１０５は、ポリシー情報を検索することができる。また、第２の記憶部１２２０は、ポリシー制御装置１０５内の記憶領域であり、新規接続テーブル２０１が記憶される。
【００５８】
受信部１２０１は、ゲートウェイ１０４を介して接続要求元の端末１１０から通信網１２０への接続要求メッセージを受信する。具体的には、たとえば、受信部１２０１は、図２〜図４に示したように、接続要求メッセージＲＱ２を受信する。
【００５９】
格納部１２０２は、受信部１２０１によって受信された接続要求メッセージ内の接続要求元に適用されるサービスを示すサービス情報を含む接続要求情報を、第２の記憶部１２２０に格納する。接続要求情報とは、新規接続テーブル２０１のエントリとなるユーザ識別子、サービス識別子、およびグレードを含む情報であり、たとえば、上述したグレード情報である。すなわち、格納部１２０２は、接続要求メッセージが受信される都度、接続要求メッセージ内のグレード情報を、新規接続テーブル２０１のエントリとして格納する。  
【００６０】
判定部１２０３は、第２の記憶部１２２０の記憶領域に対する接続要求情報群の割合を示す使用率がしきい値以上であるか否かを判定する。具体的には、たとえば、判定部１２０３は、ある接続要求元からのある接続要求メッセージが受信され、ある接続要求メッセージ内のある接続要求元に適用されるサービスを示すサービス情報を含むある接続要求情報が、第２の記憶部１２２０に格納された場合、使用率がしきい値以上であるか否かを判定する。
【００６１】
ここで、使用率とは、新規接続テーブル２０１の使用領域が第２の記憶部１２２０に占める割合である。また、新規接続テーブル２０１が記憶できるエントリの上限数に対する現在のエントリ数の割合でもよい。使用率がしきい値以上である場合、新規接続テーブル２０１内のエントリが払い出しされずに滞留しているため、ポリシー管理サーバ１０６との間で輻輳が発生しているとみなされる。
【００６２】
決定部１２０４は、判定部１２０３によってしきい値以上であると判定された場合、第１の記憶部１２１０内の対応情報である新規接続テーブル２０１を参照して、第２の記憶部１２２０に記憶されたある接続要求情報に基づいて、ある接続要求元に適用されるポリシーを決定する。具体的には、たとえば、決定部１２０４は、新規接続テーブル２０１においてポリシー決定対象であるエントリからサービス識別子とグレードとを抽出する。そして、決定部１２０４は、ポリシー情報管理テーブル８００を参照して、抽出したサービス識別子とグレードとを含むエントリを特定する。
【００６３】
決定部１２０４は、特定したエントリにおけるＱｏＳＩＤと課金ＩＤの組み合わせをポリシー情報管理テーブル８００から読み出す。そして、決定部１２０４は、ＱｏＳ情報管理テーブル９００を参照して、読み出したＱｏＳＩＤに該当するエントリを特定する。同様に、決定部１２０４は、課金情報管理テーブル１０００を参照して、読み出した課金ＩＤに該当するエントリを特定する。そして、決定部１２０４は、ＱｏＳ情報管理テーブル９００および課金情報管理テーブル１０００から特定したエントリを、接続要求元である端末１１０に適用すべきポリシーに決定する。
【００６４】
検出部１２０５は、ポリシー管理サーバ１０６の障害を検出する。具体的には、たとえば、検出部１２０５は、ポリシー管理サーバ１０６に対し定期的に生存を確認する信号を送信し、当該信号の応答がない場合にポリシー管理サーバ１０６に障害が発生したことを検出する。検出部１２０５によって障害が検出された場合、決定部１２０４は、第１の記憶部１２１０内の対応情報を参照して、第２の記憶部１２２０に記憶された接続要求情報に基づいて、接続要求元に適用されるポリシーを決定する。
【００６５】
すなわち、ポリシー管理サーバ１０６に障害が発生していないときに接続要求メッセージが受信された場合でも、障害発生が検出されると、接続要求メッセージをポリシー管理サーバ１０６に転送することなく、決定部１２０４が適用すべきポリシーを決定することになる。
【００６６】
送信部１２０６は、決定部１２０４によって決定されたポリシーを、ゲートウェイ１０４を介してある接続要求元に送信する。具体的には、たとえば、送信部１２０６は、決定部１２０４により得られたポリシーを接続応答メッセージに埋め込み、ゲートウェイ１０４を経由して、ある接続要求元である端末１１０に送信する。
【００６７】
消去部１２０７は、決定部１２０４によってポリシーが決定された場合、第２の記憶部１２２０に記憶されたある接続要求情報を前記第２の記憶部１２２０から消去する。接続応答メッセージが送信されたある接続要求元のある接続要求情報は不要であるため、消去部１２０７は、当該接続要求情報であるエントリを第２の記憶部１２２０である新規接続テーブル２０１から消去する。これにより、不要なエントリを新規接続テーブル２０１から払い出すことができる。
【００６８】
＜新規接続処理手順例＞
図１３は、ポリシー制御装置１０５の新規接続処理手順例１を示すフローチャートである。まず、ポリシー制御装置１０５は、受信部１２０１により端末１１０から接続要求メッセージを受信すると（ステップＳ１３０１）、格納部１２０２により、接続要求メッセージ内の接続要求情報、すなわち、ユーザ識別子、サービス識別子、およびグレードを含むグレード情報を、新規接続テーブル２０１にエントリとして格納する（ステップＳ１３０２）。
【００６９】
つぎに、ポリシー制御装置１０５は、判定部１２０３により、新規接続テーブル２０１の使用率がしきい値であるα％以上であるか否かを判定する（ステップＳ１３０３）。α％以上である場合（ステップＳ１３０３：Ｙｅｓ）、ポリシー制御装置１０５は、判定部１２０３により、エントリにグレードが含まれているか否かを判定する（ステップＳ１３０４）。グレードが含まれている場合（ステップＳ１３０４：Ｙｅｓ）、ポリシー制御装置１０５は、判定部１２０３により、特定のグレードＧｓ以上であるか否かを判定する（ステップＳ１３０５）。
【００７０】
特定のグレードＧｓ以上である場合（ステップＳ１３０５：Ｙｅｓ）、ポリシー制御装置１０５は、決定部１２０４によりポリシーを決定する（ステップＳ１３０６）。そして、接続要求メッセージを送信してきた端末１１０に、ゲートウェイ１０４を経由してポリシーを含む接続応答メッセージを送信する（ステップＳ１３０７）。このあと、ポリシー制御装置１０５は、消去部１２０７により、ステップＳ１３０２で格納されたエントリを新規接続テーブル２０１から消去する（ステップＳ）。これにより、新規接続処理が終了する。
【００７１】
また、ステップＳ１３０３において、使用率がα％未満である場合（ステップＳ１３０３：Ｎｏ）、ポリシー制御装置１０５は、検出部１２０５により、ポリシー管理サーバ１０６が障害発生中であるか否かを判断する（ステップＳ１３０９）。障害発生中である場合（ステップＳ１３０９：Ｙｅｓ）、ステップＳ１３０４に移行する。一方、障害発生中でない場合（ステップＳ１３０９：Ｎｏ）、ポリシー制御装置１０５は、接続要求メッセージをポリシー管理サーバ１０６に送信する（ステップＳ１３１０）。その後、ポリシー制御装置１０５は、ポリシー管理サーバ１０６から接続応答メッセージを受信すると（ステップＳ１３１１）、決定部１２０４によりポリシーを決定する（ステップＳ１３０６）。
【００７２】
具体的には、たとえば、接続応答メッセージには、ユーザ識別子とサービス識別子とグレードとが含まれているため、決定部１２０４は、接続応答メッセージに含まれているサービス識別子とグレードに該当するＱｏＳＩＤと課金ＩＤの組み合わせをポリシー情報管理テーブル８００から読み出す。そして、決定部１２０４は、ＱｏＳ情報管理テーブル９００を参照して、読み出したＱｏＳＩＤに該当するエントリを特定する。同様に、決定部１２０４は、課金情報管理テーブル１０００を参照して、読み出した課金ＩＤに該当するエントリを特定する。そして、決定部１２０４は、ＱｏＳ情報管理テーブル９００および課金情報管理テーブル１０００から特定したエントリを、接続要求元である端末１１０に適用すべきポリシーに決定する。
【００７３】
また、ステップＳ１３０４において、グレードがない場合（ステップＳ１３０４：Ｎｏ）、または、ステップＳ１３０５において、特定のグレードＧｓ未満の場合（ステップＳ１３０５：Ｎｏ）、ステップＳ１３１０に移行する。
【００７４】
このように、使用率がα％以上である場合は、グレードが特定のグレードＧｓ以上であることを条件として、ポリシー制御装置１０５が、ポリシー管理サーバ１０６を用いずにポリシーを決定することができる。これにより、特定のグレードＧｓ以上のユーザに対して優先的に接続することができる。
【００７５】
また、使用率がα未満であってもポリシー管理サーバ１０６が障害発生中である場合は、グレードが特定のグレードＧｓ以上であることを条件として、ポリシー制御装置１０５が、ポリシー管理サーバ１０６を用いずにポリシーを決定することができる。これにより、特定のグレードＧｓ以上のユーザに対して優先的に接続することができるとともに、新規接続テーブル２０１におけるエントリの滞留を低減し、ポリシー管理サーバ１０６との通信の輻輳を抑制することができる。
【００７６】
図１４は、ポリシー制御装置１０５の新規接続処理手順例２を示すフローチャートである。まず、ポリシー制御装置１０５は、新規接続処理手順例２は、ポリシー管理サーバ１０６との通信の輻輳が発生した場合に優先的に接続をおこない、優先接続すべきエントリを新規接続テーブル２０１から払い出す例である。
【００７７】
まず、ポリシー制御装置１０５は、判定部１２０３により、新規接続テーブル２０１の使用率がしきい値であるα％以上であるか否かを判定する（ステップＳ１４０１）。
α％以上である場合（ステップＳ１４０１：Ｙｅｓ）、ポリシー制御装置１０５は、新規接続テーブル２０１に未選択のエントリが有るか否かを判断する（ステップＳ１４０２）。未選択のエントリがない場合（ステップＳ１４０２：Ｎｏ）、ステップＳ１４０１に戻る。
【００７８】
一方、未選択のエントリがある場合（ステップＳ１４０２：Ｙｅｓ）、ポリシー制御装置１０５は、未選択のエントリを選択する（ステップＳ１４０３）。そして、ポリシー制御装置１０５は、選択したエントリにグレードがあるか否かを判断する（ステップＳ１４０４）。グレードがない場合（ステップＳ１４０４：Ｎｏ）、ステップＳ１４０２に戻り、ポリシー制御装置１０５は、未選択のエントリを再選択する（ステップＳ１４０２）。
【００７９】
一方、グレードがある場合（ステップＳ１４０４：Ｙｅｓ）、ポリシー制御装置１０５は、グレードが特定のグレードＧｓ以上であるか否かを判断する（ステップＳ１４０５）。特定のグレードＧｓ未満の場合（ステップＳ１４０５：Ｎｏ）、ステップＳ１４０２に戻り、ポリシー制御装置１０５は、未選択のエントリを再選択する（ステップＳ１４０２）。そして、ステップＳ１４０１において、α％未満の場合（ステップＳ１４０１：Ｎｏ）、輻輳が発生していないため新規接続処理を終了する。
【００８０】
このように輻輳状態においては、特定のグレードＧｓ以上のユーザに対して優先的に接続することができるとともに、新規接続テーブル２０１におけるエントリの滞留を低減し、ポリシー管理サーバ１０６との通信の輻輳を抑制することができる。
【００８１】
以上に説明したように、本発明の実施例によれば、新規接続テーブル２０１の使用率がしきい値以上となった場合に、ポリシー制御装置１０５がポリシー管理サーバ１０６を利用せずに、接続要求元に適用させるポリシーを決定し、エントリを払い出すことができる。したがって、新規接続テーブル２０１におけるエントリの滞留を低減することができ、ポリシー管理サーバ１０６との通信の輻輳を抑制することができる。
【００８２】
また、ポリシー管理サーバ１０６に障害が発生している場合、使用率がしきい値未満であってもポリシーを決定し、エントリを払い出すため、新規接続テーブル２０１でのエントリの増加を抑制することができる。
【００８３】
また、ユーザのグレードが特定のグレード以上である場合、ポリシー制御装置１０５がポリシー管理サーバ１０６を利用せずに、接続要求元に適用させるポリシーを決定し、エントリを払い出す。したがって、ポリシー管理サーバ１０６からの応答を待つまでもなく、特定のグレード以上のユーザの端末１１０を優先的に接続することができる。また、当該ユーザのエントリは新規接続テーブル２０１から払い出されるため、新規接続テーブル２０１におけるエントリの滞留を低減することができ、ポリシー管理サーバ１０６との通信の輻輳を抑制することができる。
【００８４】
このように、一部のネットワーク装置が輻輳しても、一部のユーザへの新規接続処理を継続させることができ、ユーザへのサービス影響を軽減させることができる。また、新規接続処理が遅延していた一部のユーザに対して、一部のネットワーク装置の輻輳検出を契機に、新規接続処理を優先的に継続させることができ、ユーザへのサービス影響を軽減させることができる。また、輻輳時の呼処理シーケンスを一部飛ばして進めることにより、装置間でやり取りをするメッセージの量を低減することができる。これにより、輻輳状態の緩和、および、二次的な輻輳状態を回避することができる。
【００８５】
以上、本発明を添付の図面を参照して詳細に説明したが、本発明はこのような具体的構成に限定されるものではなく、添付した請求の範囲の趣旨内における様々な変更及び同等の構成を含むものである。
【符号の説明】
【００８６】
１００  ネットワークシステム
１０１  基地局
１０２  端末管理装置
１０３  加入者情報サーバ
１０４  ゲートウェイ
１０５  ポリシー制御装置
１０６  ポリシー管理サーバ
１１０  端末
１２０  通信網
２００  ポリシー制御処理
２０１  新規接続テーブル
６００  加入者情報管理テーブル
７００  グレード情報管理テーブル
８００  ポリシー情報管理テーブル
９００  ＱｏＳ情報管理テーブル
１０００  課金情報管理テーブル
１２０１  受信部
１２０２  格納部
１２０３  判定部
１２０４  決定部
１２０５  検出部
１２０６  送信部
１２０７  消去部
１２１０  第１の記憶部
１２２０  第２の記憶部
【図１】
2014216900.tif 000003
【図２】
2014216900.tif 000004
【図３】
2014216900.tif 000005
【図４】
2014216900.tif 000006
【図５】
2014216900.tif 000007
【図６】
2014216900.tif 000008
【図７】
2014216900.tif 000009
【図８】
2014216900.tif 000010
【図９】
2014216900.tif 000011
【図１０】
2014216900.tif 000012
【図１１】
2014216900.tif 000013
【図１２】
2014216900.tif 000014
【図１３】
2014216900.tif 000015
【図１４】
2014216900.tif 000016